(57)【要約】【課題】  一定遊技間内でのメダルなどの獲得遊技媒体数を増加させることができ、効率よく緊張感ある遊技を行うことができる遊技機を提供すること。【解決手段】  特別遊技として、特定図柄の組み合わせからなる特定当選役の当選確率が通常遊技用の当選判定テーブルよりも高く設定された特定遊技用の当選判定テーブルを用いて当選判定の抽選が行われ、所定回数の遊技終了又は所定回数の特定当選役の入賞を条件にその遊技期間が終了する特定遊技と、前記通常遊技と特定遊技とが交互に行われ、一定数の遊技媒体払い出しを条件にその遊技期間が終了する特定導入遊技とを設け、この特定導入遊技は、特定遊技の終了後、当該終了した特定遊技における特定当選役の入賞回数に応じて、次の特定遊技開始までの通常遊技回数が決定される。【選択図】    図７
2006122159.tif 000002
【特許請求の範囲】
【請求項１】
複数の図柄を停止表示又は変動表示可能に形成した図柄表示手段と、
前記図柄表示手段の図柄の変動表示を開始させるためのスタートスイッチと、
前記図柄表示手段の図柄の変動表示を停止させるためのストップスイッチと、
遊技機の作動を制御するための遊技制御装置とを少なくとも備え、
前記遊技制御装置は、
複数の図柄の組み合わせから成る当選役に関し、当選判定テーブルを用いて当選か否かの当選判定の抽選を行うための当選抽選手段と、
前記ストップスイッチの操作及び前記当選判定の抽選結果に基づいて、前記図柄表示手段の図柄を停止表示させるための停止制御手段と、
当選に係る図柄の組み合わせが、予め定められた入賞の態様で停止表示された場合には入賞と判定し、遊技者に遊技媒体の払い出しその他の利益を付与するための入賞判定手段とを有し、
遊技として、通常遊技用の当選判定テーブルを用いて当選判定の抽選が行われる通常遊技と、通常遊技において特別当選図柄の組み合わせが入賞の態様で停止表示されることにより開始される特別遊技とを有する遊技機において、
前記特別遊技として、特定図柄の組み合わせからなる特定当選役の当選確率が通常遊技用の当選判定テーブルよりも高く設定された特定遊技用の当選判定テーブルを用いて当選判定の抽選が行われ、所定回数の遊技終了又は所定回数の特定当選役の入賞を条件にその遊技期間が終了する特定遊技と、
前記通常遊技と特定遊技とが交互に行われ、一定数の遊技媒体払い出しを条件にその遊技期間が終了する特定導入遊技とを設け、
この特定導入遊技は、特定遊技の終了後、当該終了した特定遊技における特定当選役の入賞回数に応じて、次の特定遊技開始までの通常遊技回数が決定されることを特徴とする遊技機。
【請求項２】
前記特定図柄として、第一特定図柄と、第一特定図柄よりも前記ストップスイッチ操作により入賞の態様に停止させ難く設定した第二特定図柄とを設け、
前記特定導入遊技では、特定遊技中の前記第二特定図柄の入賞回数に応じて、次の特定遊技開始までの通常遊技回数が減じられるように設定されていることを特徴とする請求項１記載の遊技機。
【請求項３】
前記特定図柄として、第一特定図柄と、第一特定図柄よりも入賞の態様に停止させやすく設定した第二特定図柄とを設け、
前記特定導入遊技では、特定遊技中の前記第二特定図柄の入賞回数に応じて、次の特定遊技開始までの通常遊技回数が増加されるように設定されていることを特徴とする請求項１記載の遊技機。
【請求項４】
遊技機を、
複数の図柄を停止表示又は変動表示可能に形成された図柄表示手段、
前記図柄表示手段の図柄の変動表示を開始させるための図柄変動開始手段、
前記図柄表示手段の図柄の変動表示を停止させるための図柄変動停止手段、
複数の図柄の組み合わせから成る当選役に関し、当選判定テーブルを用いて当選か否かの当選判定の抽選を行うための当選抽選手段、
前記図柄変動停止手段の操作及び前記当選判定の抽選結果に基づいて、前記図柄表示手段の図柄を停止表示させるための停止制御手段、
当選に係る図柄の組み合わせが、予め定められた入賞の態様で停止表示された場合には入賞と判定し、遊技者に遊技媒体の払い出しその他の利益を付与する入賞判定手段、
通常遊技用の当選判定テーブルを用いて当選判定の抽選を行わせる通常遊技制御手段、
特定図柄の組み合わせからなる特定当選役の当選確率が通常遊技用の当選判定テーブルよりも高く設定された特定遊技用の当選判定テーブルを用いて当選判定の抽選を行わせ、所定回数の遊技終了又は所定回数の特定当選役の入賞を条件にその遊技期間を終了させる特定遊技制御手段、
通常遊技と特定遊技とを交互に行わせ、特定遊技終了以降、当該終了した特定遊技における特定当選役の入賞回数に応じて、次の特定遊技開始までの通常遊技回数を決定し、一定数の遊技媒体払い出しを条件にその遊技期間を終了させる特定導入遊技制御手段、
として機能させるための遊技機用プログラム。
【請求項５】
遊技機を、
複数の図柄を停止表示又は変動表示可能に形成された図柄表示手段、
前記図柄表示手段の図柄の変動表示を開始させるための図柄変動開始手段、
前記図柄表示手段の図柄の変動表示を停止させるための図柄変動停止手段、
複数の図柄の組み合わせから成る当選役に関し、当選判定テーブルを用いて当選か否かの当選判定の抽選を行うための当選抽選手段、
前記図柄変動停止手段の操作及び前記当選判定の抽選結果に基づいて、前記図柄表示手段の図柄を停止表示させるための停止制御手段、
当選に係る図柄の組み合わせが、予め定められた入賞の態様で停止表示された場合には入賞と判定し、遊技者に遊技媒体の払い出しその他の利益を付与する入賞判定手段、
通常遊技用の当選判定テーブルを用いて当選判定の抽選を行わせる通常遊技制御手段、
特定図柄の組み合わせからなる特定当選役の当選確率が通常遊技用の当選判定テーブルよりも高く設定された特定遊技用の当選判定テーブルを用いて当選判定の抽選を行わせ、所定回数の遊技終了又は所定回数の特定当選役の入賞を条件にその遊技期間を終了させる特定遊技制御手段、
通常遊技と特定遊技とを交互に行わせ、特定遊技終了以降、当該終了した特定遊技における特定当選役の入賞回数に応じて、次の特定遊技開始までの通常遊技回数を決定し、一定数の遊技媒体払い出しを条件にその遊技期間を終了させる特定導入遊技制御手段、
として機能させるための遊技機用プログラムを記録したコンピュータ読み取り可能な記録媒体。
【発明の詳細な説明】
【技術分野】
【０００１】
この発明は、停止操作手段の操作により複数の図柄を所定の配列で停止させることができると入賞となり、遊技メダルなどの遊技媒体が払い出される遊技機に関するものである。
【背景技術】
【０００２】
従来、この種の遊技機、例えばスロットマシンでは、遊技として、小役当選や特別当選を含む種々の当選役について所定の確率で遊技毎に抽選している通常遊技と、通常遊技中に特別当選が入賞した場合に開始される特別遊技を設けている。そして、特別遊技としては、特定遊技（例えばＲＢゲーム）や特定導入遊技（例えばＢＢゲーム）が設けられている。通常、ＢＢゲームでは、一定回数（例えば３０ゲーム）の通常遊技中に一定回数（例えば最大３回）のＲＢゲームが行われるようになっており、ＲＢゲームは、一定回数（例えば１２回）の特定当選遊技いわゆるＪＡＣゲーム終了、あるいは一定回数（例えば８回）のＪＡＣ入賞により、その遊技期間が終了するように設定されていた（特許文献１参照）。
【特許文献１】特開２００４−２３６８４１号公報（段落００４９〜００５４）
【発明の開示】
【発明が解決しようとする課題】
【０００３】
しかし、上記したようなスロットマシンにおいては、ＲＢゲームを最大回数消化しないうちにＢＢゲーム期間が終了した場合には、ＢＢゲームにおけるメダル獲得数が低くなってしまう。逆にＲＢゲームをあまりに早く最大回数消化してしまうと、ＲＢゲームの間の通常遊技期間でのメダル獲得ができず結果としてそれほどメダル獲得数を増やせなかったり、ＢＢゲーム自体があっという間に終了して淡泊に感じられるという問題点があった。
そこで、請求項１記載の発明は、緊張感ある遊技を行うことができる遊技機を提供することを目的とし、請求項２又は３記載の発明は、一定遊技間内でのメダルなどの獲得遊技媒体数を増加させることができ、効率よく遊技を行うことができる遊技機を提供することを目的とする。
【０００４】
なお、請求項４又は５記載の発明は、上記した請求項１乃至３記載の発明の目的を達成することができる遊技機用プログラム又はその遊技機用プログラムを記録した記録媒体を提供しようとするものである。
【課題を解決するための手段】
【０００５】
本願発明の特徴点を、図面に示した発明の実施の形態を用いて、以下に説明する。
なお、括弧内の符号は、発明の実施の形態において用いた符号を示し、本願発明の技術的範囲を限定するものではない。
（請求項１）
（特徴点）
請求項１記載の発明は、次の点を特徴とする。
すなわち、請求項１記載の発明は、複数の図柄を停止表示又は変動表示可能に形成した図柄表示手段と、前記図柄表示手段の図柄の変動表示を開始させるためのスタートスイッチ(30)と、前記図柄表示手段の図柄の変動表示を停止させるためのストップスイッチ(50)と、遊技機の作動を制御するための遊技制御装置(21)とを少なくとも備え、この記遊技制御装置(21)は、複数の図柄の組み合わせから成る当選役に関し、当選判定テーブル(113)を用いて当選か否かの当選判定の抽選を行うための当選抽選手段(110)と、前記ストップスイッチ(50)の操作及び前記当選判定の抽選結果に基づいて、前記図柄表示手段の図柄を停止表示させるための停止制御手段(120)と、当選に係る図柄の組み合わせが、予め定められた入賞の態様で停止表示された場合には入賞と判定し、遊技者に遊技媒体の払い出しその他の利益を付与するための入賞判定手段(130)とを有している。そして、遊技として、通常遊技用の当選判定テーブル（通常判定テーブル(113A)）を用いて当選判定の抽選が行われる通常遊技と、通常遊技において特別当選図柄の組み合わせが入賞の態様で停止表示されることにより開始される特別遊技とを有する遊技機に係る。
【０００６】
ここで、「図柄表示手段」は、表面に複数の図柄が表示された回転リール(40)とすることができ、あるいは、液晶表示装置やＣＲＴを用いて図柄を表示するものであってもよい。また、「遊技媒体」とは、スロットマシンのメダルや、パチンコの玉、コインなどの他、所定のポイントを記録したポイントカードなどの情報媒体も含む。
前記停止制御手段(120)は、前記図柄表示手段の停止制御を行うためのものである。停止制御とは、当選判定の抽選結果に応じて、所定位置に停止させてはいけない図柄を停止させないように「蹴飛ばし」を行うと共に、所定位置に停止させてもよい図柄を極力その位置に停止させるように「引き込み」を行うことである。すなわち、前記ストップスイッチ(50)の操作時に、当選判定の抽選結果が「ハズレ」の場合にはいかなる当選図柄も入賞の態様とならないように、当選判定の抽選結果が所定の当選役に当選（当たり）の場合には当該当選図柄が極力入賞の態様となるように、図柄表示手段の表示が停止する時間を遅らせる制御を行うものである。
【０００７】
前記入賞判定手段(130)は、当選抽選手段(110)の抽選結果と図柄表示手段の停止図柄とに基づいて入賞の判定をし、遊技者に対して所定の利益を付与するためのものである。遊技者に付与する利益としては、メダルなどの遊技媒体を払い出したり、得点を加算したりすることができる他、遊技者に有利な遊技を開始させたりすることもできる。また、メダル等の投入なしに遊技を開始することができる「再遊技」も付与利益に含まれる。
そして、本発明は、前記特別遊技として、特定図柄の組み合わせからなる特定当選役の当選確率が通常遊技用の当選判定テーブルよりも高く設定された特定遊技用の当選判定テーブル（特定判定テーブル(113B)）を用いて当選判定の抽選が行われ、所定回数の遊技終了又は所定回数の特定当選役の入賞を条件にその遊技期間が終了する特定遊技と、前記通常遊技と特定遊技とが交互に行われ、一定数の遊技媒体払い出しを条件にその遊技期間が終了する特定導入遊技とを設け、この特定導入遊技は、特定遊技の終了後、当該終了した特定遊技における特定当選役の入賞回数に応じて、次の特定遊技開始までの通常遊技回数（以下中間遊技回数という）が決定されることを特徴とする。
【０００８】
ここで、「特定遊技」とは、いわゆるレギュラーボーナスゲーム（ＲＢゲーム）を含み、「特定導入遊技」とは、いわゆるビッグボーナスゲーム（ＢＢゲーム）を含むものである。
なお、「通常遊技と特定遊技が交互に行われ」には、所定回数（１回以上）の通常遊技の終了後に、特定遊技（の遊技期間）が複数回連続して行われることも含むものである。
また、前記「特定図柄の組み合わせ」は、通常遊技中において他の当選役に係る図柄と同一図柄の組み合わせ（例えばベル・ベル・ベル）であってもよいし、特定遊技中にのみ有効な図柄の組み合わせ（例えばリプレイ・リプレイ・スイカ）であってもよい。
【０００９】
（作用）
本発明における特定導入遊技は、通常遊技中に、例えば特別当選図柄である「７」が図柄表示手段の有効入賞ライン上に３つ揃うことにより開始される。そして、特定導入遊技に移行すると、予め定められたあるいは抽選や遊技成績等の所定条件に基づいて決定された所定回数の通常遊技終了後に、特定遊技が開始される。特定遊技中には、特定当選役の入賞、例えば特定図柄である「ベル」が有効入賞ライン上に３つ揃う回数がカウントされ、そのカウント値に応じて、特定遊技終了後、中間遊技の回数が決定される。例えば、特定当選役の入賞が多いほど、中間遊技回数が少なくなるように設定してもよいし、逆に、特定当選役の入賞が少ないほど、中間遊技回数が多くなるように設定することもできる。そして、特定導入遊技は、予め定められた遊技媒体数の払い出し終了により終了する。
【００１０】
本発明によれば、特定遊技における特定当選役の入賞回数に応じて中間遊技回数が変化するため、緊張感ある遊技を行うことができる。
（請求項２）
請求項２記載の発明は、上記した請求項１記載の発明の特徴点に加え、次の点を特徴とする。
すなわち、請求項２記載の発明は、前記特定図柄として、第一特定図柄と、第一特定図柄よりも前記ストップスイッチ(50)操作により入賞の態様に停止させ難く設定した第二特定図柄とを設け、前記特定導入遊技では、特定遊技中の前記第二特定図柄の入賞回数に応じて、次の特定遊技開始までの通常遊技回数（中間遊技回数）が減じられるように設定されていることを特徴とする。
【００１１】
本発明は、特定入賞となるための図柄の組み合わせを二種類設け、当該組み合わせを構成する特定図柄について、その引き込み確率が異なるように設定してあるものである。ここで、引き込み確率とは、停止制御手段(120)が「引き込み」制御を行う場合、ある図柄を入賞態様となるよう引き込んで停止させることができる割合を表すものである。そして、引き込み確率の高い図柄の組み合わせは入賞させやすく、引き込み確率が低い図柄の組み合わせのほうは入賞させにくいものとなる。
（作用）
本発明では、二種類の特定図柄の組み合わせのうち、いずれの組み合わせが入賞の態様に停止しても特定入賞となる。しかし、ストップスイッチ(50)の停止操作により第二特定図柄の組み合わせにより入賞となった回数が多いほど、中間遊技回数が少なくなる。入賞回数と中間遊技回数の対応関係としては、例えば中間遊技回数の最大設定値を特定遊技における最大特定入賞回数に設定し、第二特定図柄による入賞毎に中間遊技回数を減じていくようにしたり、特定遊技終了時点での、第二特定入賞回数の特定遊技回数に対する割合の値に応じて中間遊技回数を決定するようにしてもよい。
【００１２】
本発明によれば、上級者は引き込み難い第二特定図柄を狙うことにより中間遊技期間を短縮して、短期集中型の遊技を行うことができる。一方、技量の劣る遊技者であっても、第二特定図柄よりは引き込みやすい第一特定図柄を狙えば、特定遊技中の特定入賞回数をそこそこ増やすことができる。
ここで、特定遊技は、特定当選役の当選確率が通常遊技よりも高いので、同一遊技期間で比べると通常遊技よりも入賞に伴う遊技媒体払い出しが多くなる。従って、上記のように形成することにより、特定遊技での遊技成績の良い遊技者は、中間遊技の期間が短くなって、少ない遊技回数で多くの遊技媒体を獲得可能な効率の良い遊技を行うことができ、遊技者にとっても店側にとっても好都合である。
【００１３】
また、中間遊技回数が短縮されることにより、一回の特定導入遊技の期間が短くなり、一日の遊技期間のうち、特定導入遊技が占める割合が減るため、その分通常遊技の占める割合が増加する。そうすると、通常遊技における特定導入遊技の抽選の機会が増え、結果として特定導入遊技の当選回数も増加する。これにより、技量の高い遊技者と技量の劣る遊技者との間で獲得遊技媒体数に差が出るので、緊張感を持って遊技を行うことができる。
（請求項３）
請求項３記載の発明は、上記した請求項１記載の発明の特徴点に加え、次の点を特徴とする。
【００１４】
すなわち、請求項３記載の発明は、前記特定図柄として、第一特定図柄と、第一特定図柄よりも前記ストップスイッチ(50)操作により入賞の態様に停止させやすく設定した第二特定図柄とを設け、前記特定導入遊技では、特定遊技中の前記第二特定図柄の入賞回数に応じて、次の特定遊技開始までの通常遊技回数が増加されるように設定されていることを特徴とする。
本発明は、請求項２記載の発明とは逆に、引き込みやすく設定された第二特定図柄で入賞した回数が多いほど、中間遊技回数が多くなるように形成したものである。
（請求項４）
請求項４記載の発明は、次の点を特徴とする。
【００１５】
すなわち、請求項４記載の発明は、遊技機を、複数の図柄を停止表示又は変動表示可能に形成された図柄表示手段、前記図柄表示手段の図柄の変動表示を開始させるための図柄変動開始手段、前記図柄表示手段の図柄の変動表示を停止させるための図柄変動停止手段、複数の図柄の組み合わせから成る当選役に関し、当選判定テーブル(113)を用いて当選か否かの当選判定の抽選を行うための当選抽選手段(110)、前記図柄変動停止手段の操作及び前記当選判定の抽選結果に基づいて、前記図柄表示手段の図柄を停止表示させるための停止制御手段(120)、当選に係る図柄の組み合わせが、予め定められた入賞の態様で停止表示された場合には入賞と判定し、遊技者に遊技媒体の払い出しその他の利益を付与する入賞判定手段(130)、通常遊技用の当選判定テーブル(113A)を用いて当選判定の抽選を行わせる通常遊技制御手段(70)、特定図柄の組み合わせからなる特定当選役の当選確率が通常遊技用の当選判定テーブル(113A)よりも高く設定された特定遊技用の当選判定テーブル(113B)を用いて当選判定の抽選を行わせ、所定回数の遊技終了又は所定回数の特定当選役の入賞を条件にその遊技期間を終了させる特定遊技制御手段(100)、通常遊技と特定遊技とを交互に行わせ、特定遊技終了以降、当該終了した特定遊技における特定当選役の入賞回数に応じて、次の特定遊技開始までの通常遊技回数を決定し、一定数の遊技媒体払い出しを条件にその遊技期間を終了させる特定導入遊技制御手段(90)、として機能させるための遊技機用プログラムである。
【００１６】
ここで、遊技機としては、スロットマシンなどの現実の遊技機でもよく、液晶ディスプレイやＣＲＴなどの画像表示装置に表示させた擬似的な遊技機であってもよい。
前記図柄表示手段は、周囲に複数の図柄(61)を表示した回転リール(40)とし、この回転リール(40)の回転を制御するように形成することができる。この場合、前記図柄変動開始手段は、回転リール(40)の回転を開始させるためのスタートスイッチ(30)とすることができ、前記図柄変動停止手段は、回転リール(40)の回転を停止させるためのストップスイッチ(50)とすることができる。
あるいは、前記図柄表示手段を、液晶ディスプレイやＣＲＴなどの画像表示装置とし、これに複数の図柄を変動表示又は停止表示させるように形成してもよい。
【００１７】
前記入賞判定手段(130)は、この遊技機用プログラムを用いて現実の遊技機を制御しようとする場合には、ホッパーユニット(65)を作動させて遊技者に対してメダル等対価の払い出しを行うように形成することができる。一方、この遊技機用プログラムを用いて業務用、家庭用のテレビゲーム機等を制御しようとする場合には、液晶ディスプレイやＣＲＴなどの画像表示装置に、入賞時にメダルの払い出しがなされるような画像や、手持ちの遊技メダル数が増加するような表示や、所定の得点が加算されるような表示を行うように形成することができる。
このように、本発明は、現実の遊技機を制御するためのプログラムと、業務用、家庭用のテレビゲーム機やパソコン等に読み込まれることによりそれらを遊技機として機能させるためのプログラムとの双方を含むものである。
【００１８】
（作用）
本発明における特定導入遊技は、通常遊技中に、例えば特別当選図柄である「７」が図柄表示手段の有効入賞ライン上に３つ揃うことにより開始される。そして、特定導入遊技に移行すると、予め定められたあるいは抽選や遊技成績等の所定条件に基づいて決定された所定回数の通常遊技終了後に、特定遊技が開始される。特定遊技中には、特定当選役の入賞、例えば特定図柄である「ベル」が有効入賞ライン上に３つ揃う回数がカウントされ、そのカウント値に応じて、特定遊技終了後、中間遊技の回数が決定される。例えば、特定当選役の入賞が多いほど、中間遊技回数が少なくなるように設定してもよいし、逆に、特定当選役の入賞が少ないほど、中間遊技回数が多くなるように設定することもできる。そして、特定導入遊技は、予め定められた遊技媒体数の払い出し終了により終了する。
【００１９】
本発明によれば、特定遊技における特定当選役の入賞回数に応じて中間遊技回数が変化するため、緊張感ある遊技を行うことができる。
ところで、前記特定図柄として、第一特定図柄と、第一特定図柄よりも前記図柄変動停止手段の作動により入賞の態様に停止させやすく設定した第二特定図柄とを設け、前記特定導入遊技では、特定遊技中の前記第二特定図柄の入賞回数に応じて、次の特定遊技開始までの通常遊技回数が減じられるように設定することができる。このように形成することにより、上級者は引き込みにくい第二特定図柄を狙うことにより中間遊技期間を短縮して、短期集中型の遊技を行うことができる。一方、技量の劣る遊技者であっても、第二特定図柄よりは引き込みやすい第一特定図柄を狙えば、特定遊技中の特定入賞回数をそこそこ増やすことができる。
【００２０】
ここで、特定遊技は、特定当選役の当選確率が通常遊技よりも高いので、同一遊技期間で比べると通常遊技よりも入賞に伴う遊技媒体払い出しが多くなる。従って、上記のように形成することにより、特定遊技での遊技成績の良い遊技者は、中間遊技の期間が短くなって、少ない遊技回数で多くの遊技媒体を獲得可能な効率の良い遊技を行うことができ、遊技者にとっても店側にとっても好都合である。また、中間遊技回数が短縮されることにより、一回の特定導入遊技の期間が短くなり、一日の遊技期間のうち、特定導入遊技が占める割合が減るため、その分通常遊技の占める割合が増加する。そうすると、通常遊技における特定導入遊技の抽選の機会が増え、結果として特定導入遊技の当選回数も増加する。これにより、技量の高い遊技者と技量の劣る遊技者との間で獲得遊技媒体数に差が出るので、緊張感を持って遊技を行うことができる。
【００２１】
また、上記とは逆に、前記特定図柄として、第一特定図柄と、第一特定図柄よりも前記図柄変動停止手段の作動により入賞の態様に停止させやすく設定した第二特定図柄とを設け、前記特定導入遊技では、特定遊技中の前記第二特定図柄の入賞回数に応じて、次の特定遊技開始までの通常遊技回数が増加されるように設定してもよい。
（請求項５）
請求項５記載の発明は、次の点を特徴とする。
すなわち、請求項５記載の発明は、遊技機を、複数の図柄を停止表示又は変動表示可能に形成された図柄表示手段、前記図柄表示手段の図柄の変動表示を開始させるための図柄変動開始手段、前記図柄表示手段の図柄の変動表示を停止させるための図柄変動停止手段、複数の図柄の組み合わせから成る当選役に関し、当選判定テーブル(113)を用いて当選か否かの当選判定の抽選を行うための当選抽選手段(110)、前記図柄変動停止手段の操作及び前記当選判定の抽選結果に基づいて、前記図柄表示手段の図柄を停止表示させるための停止制御手段(120)、当選に係る図柄の組み合わせが、予め定められた入賞の態様で停止表示された場合には入賞と判定し、遊技者に遊技媒体の払い出しその他の利益を付与する入賞判定手段(130)、通常遊技用の当選判定テーブル(113A)を用いて当選判定の抽選を行わせる通常遊技制御手段(70)、特定図柄の組み合わせからなる特定当選役の当選確率が通常遊技用の当選判定テーブル(113A)よりも高く設定された特定遊技用の当選判定テーブル(113B)を用いて当選判定の抽選を行わせ、所定回数の遊技終了又は所定回数の特定当選役の入賞を条件にその遊技期間を終了させる特定遊技制御手段(100)、通常遊技と特定遊技とを交互に行わせ、特定遊技終了以降、当該終了した特定遊技における特定当選役の入賞回数に応じて、次の特定遊技開始までの通常遊技回数を決定し、一定数の遊技媒体払い出しを条件にその遊技期間を終了させる特定導入遊技制御手段(90)、として機能させるための遊技機用プログラムを記録したコンピュータ読み取り可能な記録媒体である。
【００２２】
本発明は、請求項４に記載の遊技機用プログラムを記録したコンピュータ読み取り可能な記録媒体である。
（作用）
本発明によれば、上記した請求項４記載の発明と同様の作用効果を得ることができる。
【発明の効果】
【００２３】
本発明は、以上のように構成されているので、以下に記載されるような効果を奏する。
すなわち、請求項１記載の発明によれば、緊張感ある遊技を行うことができる遊技機を提供することができ、請求項２又は３記載の発明によれば、一定遊技間内でのメダルなどの獲得遊技媒体数を増加させることができ、効率よく遊技を行うことができる遊技機を提供することができる。
また、請求項４又は５記載の発明によれば、上記した請求項１乃至３記載の発明の効果を奏することができる遊技機用プログラム又はその遊技機用プログラムを記録した記録媒体を提供することができる。
【発明を実施するための最良の形態】
【００２４】
本発明の好適な実施の形態を、遊技機としてスロットマシンを例に、図面に基づき説明する。
（図面の説明）
図１乃至図８は、本発明の実施の形態を示すものである。
図１はスロットマシンの入力、制御及び出力のブロック図、図２はスロットマシンの外観正面図、図３乃至図８はスロットマシンの動作の概略を示すフローである。
（スロットマシン10）
スロットマシン10は、図２に示すように、四角箱状の筐体11を有する。この筐体11には、遊技者側に向かって臨む表示窓12が形成されており、さらに表示窓12には、三個の回転リール40の図柄61を見ることができる図柄表示窓13が形成されている。そして、スロットマシン10の略中央端部には、メダル投入口14が設けられている。
【００２５】
スロットマシン10の内部には、図示していないが、スロットマシン10の全体の動作を制御するための制御装置20（図１参照）が内蔵されている。
（制御装置20）
上記制御装置20は、図示しないが、ＣＰＵを中心に構成され、ＲＯＭ、ＲＡＭ、Ｉ／Ｏ等を備えている。ここでＣＰＵは、一個に限定されず、二個以上のＣＰＵで制御するようにしてもよい。また、ＣＰＵ、ＲＯＭ、ＲＡＭ及びＩ／Ｏ等は一体化されてワンチップを構成してもよい。そして、ＣＰＵがＲＯＭに記憶されたプログラムを読み込むことで、次の（１）及び（２）の装置を構成する。
【００２６】
（１）遊技制御装置21
（２）演出制御装置22
遊技制御装置21は、スタートスイッチ30及びストップスイッチ50の操作により、回転リール40の回転及び停止を制御するためのものである。この遊技制御装置21の詳細については後述する。演出制御装置22は、ランプ68やスピーカ69等の演出表示部66を制御するためのものである。
ここで、制御装置20を、主制御装置と、主制御装置からの信号を受信して作動する副制御装置とから構成し、前記遊技制御装置21を主制御装置に、前記演出制御装置22を副制御装置に配置することができる。このように、遊技を司る制御装置と演出を司る制御装置を別個に形成することにより、演出制御に当てられるメモリを大幅に増やすことができると共に、演出のみを変更することもできる。
【００２７】
（入力段）
上記制御装置20の入力段には、図１に示すように、次のパーツが接続されている。
（１）投入スイッチ15
（２）ベットスイッチ16
（３）精算スイッチ17
（４）スタートスイッチ30
（５）ストップスイッチ50
なお、入力段としては、上記した（１）乃至（５）のパーツに限定されるものではない。
【００２８】
（投入スイッチ15）
投入スイッチ15は、図２に示すように、メダル投入口14の下方に内蔵されたスイッチであって、投入された遊技メダルを検知するためのものである。
（ベットスイッチ16）
ベットスイッチ16は、図２に示すように、回転リール40の下方に位置するスイッチであって、貯留メダル数を減じてメダル投入に代えるためのものである。
（精算スイッチ17）
精算スイッチ17は、図２に示すように、回転リールの斜め下方に位置するスイッチであって、貯留した投入メダルを払い出すためのものである。
【００２９】
（スタートスイッチ30）
スタートスイッチ30は、図２に示すように、回転リール40の斜め下方に位置するレバーであって、遊技メダルの投入若しくはベットスイッチ16の投入を条件に、または、「再遊技（Replay）」時には前遊技から所定時間経過を条件に、リールユニット60の駆動を開始させるためのものである。
なお、ここで、「再遊技（Replay）」とは、当選抽選手段110の抽選により、「再遊技（Replay）」のフラグが成立し、「再遊技（Replay）」の図柄が入賞有効ライン上に揃うことにより、次の遊技において、遊技メダルを新たに投入することなく、再度、遊技を行うことができるものである。
【００３０】
（ストップスイッチ50）
ストップスイッチ50は、リールユニット60の駆動を停止させるためのものである。具体的には、ストップスイッチ50は、図２に示すように、各回転リール40に対応した三個のスイッチから構成され、各回転リール40の下方に１個ずつ配置されているものである。回転リール40に対応したストップスイッチ50の操作により、当該対応した回転リール40が回転を停止するように設定されているものである。
（出力段）
前記制御装置20の出力段には、図１に示すように、次のパーツが接続されている。
【００３１】
（１）リールユニット60
（２）ホッパーユニット65
（３）表示装置66（演出表示部67及びランプ68及びスピーカ69）
なお、出力段としては、上記した（１）乃至（３）のパーツに限定されるものではない。
（リールユニット60）
リールユニット60は、特に図示しないが枠体に固定或いは支持された三個のモータと、各々のモータの出力軸に固定された三個の回転リール40とから構成されている。そして、各回転リール40は、合成樹脂からなる回転ドラムと、この回転ドラムの周囲に貼付されるテープ状のリールテープ42とを備えている。このリールテープ42の外周面には、複数個（例えば２１個）の図柄61が表示されている。
【００３２】
（ホッパーユニット65）
ホッパーユニット65は、図示しないが、遊技の結果に基づいて、遊技者にメダルを払い出すためのものである。
（表示装置66）
表示装置66は、演出制御装置22の制御により、遊技者に入賞等を報知させるなど、種々の演出を行うものである。具体的には、表示装置66は、演出表示部67及びランプ68及びスピーカ69から構成されている。
演出表示部67は、回転リール40の上方に設けられた窓部であり、ＬＥＤ、ドットマトリックス、液晶画面等を用いて、入賞の報知その他の演出を表示するためのものである。なお、演出表示部67としては上記のものに限られず、例えば演出専用の回転リールを設け、リールの図柄や文字等により演出を表示するようにしても良い。
【００３３】
ランプ68及びスピーカ69は、発光体の点灯又は点滅、入賞音の発生により入賞等を報知するためのものである。
（遊技制御装置21）
次に、遊技制御装置21について詳述する。
遊技制御装置21は、スタートスイッチ30及びストップスイッチ50の操作により、回転リール40の回転及び停止を制御するためのものである。そして、この遊技制御装置21は、次の（１）乃至（５）の手段として機能する。
（１）通常遊技制御手段70
（２）特別遊技制御手段80
（３）当選抽選手段110
（４）リール停止制御手段120
（５）入賞判定手段130
なお、遊技制御装置21としては、上記した（１）乃至（５）の手段に限定されるものではなく、他の手段を含んでいてもよい。
【００３４】
（通常遊技制御手段70）
通常遊技制御手段70は、通常遊技を行わせるためのものである。
すなわち、メダルの投入若しくはベットスイッチ16の押下を条件に、または、「再遊技（Replay）」時には前遊技から所定時間経過を条件に、スタートスイッチ30を操作すると、リールユニット60が駆動され、三個の回転リール40が回転を開始する。
その後、ストップスイッチ50の一個を操作すると、当該対応する回転リール40の回転が停止する。
そして、ストップスイッチ50を三個全て操作し終わると、三個の回転リール40の回転が全て停止する。このとき、表示窓12の所定の有効入賞ライン上（入賞となるために有効な図柄の並びを示すライン・図示せず）に、予め設定された当選役に係る図柄61が停止すると、ホッパーユニット65を介して所定枚数のメダルが払い出される。なお、メダルを払い出す代わりに、クレジットしても良い。
【００３５】
当選には、入賞により遊技メダルの払い出しを伴う小役当選と、遊技メダルの払い出しは無いが遊技メダルを新たに投入することなく再度の遊技を行える再遊技当選と、小役当選及び再遊技当選よりもさらに大きな利益を遊技者に付与する特別当選とを備えている。前記小役当選には、５枚役、１０枚役、１５枚役など、払い出しメダルの枚数が異なる複数の当選役が設けられている。
そして、当選判定の抽選結果がいずれかの当選役に当選となった場合、その当選に対応した当選フラグが成立する。そして、所定の当選フラグが成立中に、回転リール40の停止図柄61の組み合わせが、所定の入賞ライン上に揃うことを条件に入賞し、メダルの払い出しや、遊技者に有利な特別遊技が行われるように形成されている。
【００３６】
ここで、当選フラグには、当選判定の抽選結果が小役当選である場合に成立する小役当選フラグと、抽選結果が特別当選である場合に成立する特別当選フラグ（ＢＢフラグ、ＲＢフラグ）とがあり、原則として、当該当選役の入賞により消滅するものである。ただし、抽選により特別当選フラグが成立したが、回転リール40の停止図柄61の組み合わせが特別当選態様（例えば特別当選図柄である「７」が三つ揃う）と一致していない場合には、それ以後の遊技に特別当選フラグ成立の権利が持ち越されるように設定されている。なお、小役当選フラグは、当選フラグが成立した遊技で入賞させられない場合、当選フラグ成立の権利の次の遊技への持ち越しはない。
【００３７】
（特別遊技制御手段80）
特別遊技制御手段80は、抽選手段の抽選結果に基づいて、遊技者に有利な特別遊技を行わせるためのものである。
上記特別遊技としては、大別すると、次のゲームがある。
（１）特定導入遊技（ビッグボーナスゲーム、以下ＢＢゲームという）
（２）特定遊技（レギュラーボーナスゲーム、以下ＲＢゲームという）
（３）特定当選遊技（ジャックゲーム、以下ＪＡＣゲームという）
なお、ＲＢゲームは、ＢＢゲーム中に行われる場合と、ＢＢゲーム中でないときにも単独で行われる場合がある。また、上記ＪＡＣゲームは、ＲＢゲーム中に行われるものである。また、特別遊技としては、上記した（１）乃至（３）の遊技に限定されるものではない。
【００３８】
特別遊技制御手段80は、図１に示すように、大別すると、次の手段を備える。
（１）特定遊技制御手段100
（２）特定導入遊技制御手段90
（特定遊技制御手段100）
特定遊技制御手段100は、ＲＢゲームを制御するためのものである。
具体的には、ＲＢゲームに移行すると、メダルが１枚投入となり、回転リール40の特定図柄が表示窓12のセンターライン上に揃った場合に入賞となる特定当選遊技（ＪＡＣゲーム）が行われるものである。そして、ＲＢゲームでは、入賞するか否かのＪＡＣゲームが最大１２回行えるものであり、そのうち、最大８回の入賞が可能である。すなわち、最大８回のＪＡＣ入賞か、或いは最大１２回のＪＡＣゲームの終了により、ＲＢゲームは終了するものである。
【００３９】
ここで、本実施の形態においては、ＪＡＣ入賞となるための特定図柄の組み合わせとして、第一図柄（例えばベル・ベル・ベル）と、第一図柄よりも引き込み確率が低く設定された第二図柄（例えばリプレイ・リプレイ・スイカ）が設けてある。すなわち、第一図柄を揃えても、第二図柄を揃えてもＪＡＣ入賞となるが、第二図柄は第一図柄よりも有効入賞ライン上に停止し難くなっているので、第二図柄で入賞するには、目押しの技量が必要になる。
（特定導入遊技制御手段90）
特定導入遊技制御手段90は、ＢＢゲームを制御するためのものであり、図１に示すように、次の（１）乃至（３）の三つのカウンタを有している。
【００４０】
（１）遊技回数カウンタ91
（２）入賞回数カウンタ92
（３）払出枚数カウンタ93
（遊技回数カウンタ91）
遊技回数カウンタ91は、ＢＢゲーム中に行われる遊技の回数をカウントするためのものである。具体的には、遊技回数カウンタ91は、ＢＢゲーム開始後の通常遊技回数Ｎをカウントする通常遊技カウンタ、ＲＢゲーム終了後、次のＲＢゲームが開始されるまでの中間遊技回数Ｍをカウントする中間遊技カウンタ、ＢＢゲーム中のＲＢゲームにおけるＪＡＣゲーム回数Ｌをカウントする特定遊技カウンタとして機能する。
【００４１】
（入賞回数カウンタ92）
入賞回数カウンタ92は、ＢＢゲーム中のＲＢゲームにおけるＪＡＣ入賞回数、具体的には第一図柄及び第二図柄によるＪＡＣ入賞回数Ｈをカウントするためのものである。
（払出枚数カウンタ93）
払出枚数カウンタ93は、ＢＢゲーム中に払い出される総メダル数をカウントするためのものである。
本実施の形態において、ＢＢゲームは、通常遊技とＲＢゲームが交互に行われる遊技期間であって、例えば「７」等の特別当選図柄が有効入賞ライン上に三個揃うことにより開始される。
【００４２】
具体的には、ＢＢゲームに移行すると、通常遊技と同様に、通常遊技用の当選判定テーブルを用いて当選判定の抽選が行われ、３つの回転リールの回転を各々停止させた際に、有効入賞ライン上に当選図柄が揃っているか否かによって、メダルの払い出し等が行われる。そして、この通常遊技中にＲＢ入賞する（ＲＢゲームに移行するための特定図柄が入賞有効ライン上に揃った）か、又はＲＢ入賞の無いまま所定回数の通常遊技が終了した場合には、その後ＲＢゲームに移行するものである。
ここで、ＢＢ移行後、最初のＲＢ開始までの所定回数の通常遊技は、例えば８回というように予め固定設定されているものであってもよいし、抽選により決定するものでもよい。あるいは、前回のＢＢゲーム中、最後のＲＢゲームにおけるＪＡＣ入賞回数に応じて決定してもよいものである。
【００４３】
１回目のＲＢゲームが終了した後は、また前述したような通常遊技と同様な抽選及び制御が行われ、所定の通常遊技終了後、再びＲＢゲームが開始される。そして、ＲＢゲーム終了後、次のＲＢゲームが開始されるまでの通常遊技（中間遊技）回数は、ＲＢゲーム中の、第二図柄による入賞回数に応じて決定されるようになっている。具体的には、第二図柄による入賞回数が多いほど、中間遊技回数が少なくなるように設定されている。
そして、予め定められた枚数（例えば４６５枚）のメダル払い出しにより、ＢＢゲームは終了する。すなわち、ＲＢゲームへの移行回数、遊技回数にかかわらず、一定枚数のメダルが払い出された場合には、中間遊技中であろうが、ＲＢゲーム中であろうが、ＢＢゲームは終了するものである。
【００４４】
（当選抽選手段110）
当選抽選手段110は、予め定めた抽選確率に基づいて当選役に係わる抽選を行うものである。そして、当選抽選手段110は、図１に示すように、大別すると、次の手段を備える。
（１）乱数発生手段111
（２）乱数抽出手段112
（３）当選判定テーブル113
（４）判定手段114
（５）判定テーブル変更手段115
なお、当選抽選手段110としては、上記した（１）乃至（５）に限定されるものではない。
【００４５】
（乱数発生手段111）
乱数発生手段111は、当選抽選用の乱数を所定の領域内（例えば十進数で０〜６５５３５）で発生させるものである。
（乱数抽出手段112）
乱数抽出手段112は、乱数発生手段111が発生する乱数を、所定の条件（例えば、スタートスイッチ30の操作）で抽出するものである。なお、この抽出した乱数を抽出乱数データとする。
なおここで、「乱数発生手段」としては、ソフト乱数としての平均採中法等で乱数を発生させることができるものの他に、一定範囲の数字を高速で１づつ加算するカウンタを用いて構成することもできる。例えば、０〜１６３８３の範囲の数字を、１秒間に７００万回程度順次繰り返すようにしたカウンタが考えられる。そして、「乱数抽出手段」としては、スタートスイッチを押したタイミングでカウンタの数字を読みとることになる。
【００４６】
このように形成すると、「乱数発生手段」では乱数を発生しているわけではないものの、「乱数抽出手段」によって抽出される数字は、あたかも乱数のような分布となる。このように、結果として乱数のような分布を示す数字が得られる手段を、ここでは「乱数発生手段」あるいは「乱数抽出手段」に含めて考えるものとする。
（当選判定テーブル113）
当選判定テーブル113は、乱数発生手段111がとる乱数の全領域中、各当選項目の当選領域を有するものである。
ここで、当選判定テーブル113としては、通常遊技に用いられる通常判定テーブル113Aと、ＲＢゲームに用いられる特定判定テーブル113Bとが設けられている。通常判定テーブル113Aは、ＢＢ当選、ＲＢ当選、その他の小役当選領域及びハズレ領域が所定の割合で設定されたテーブルであり、特定判定テーブル113Bは、特定図柄（第一図柄及び第二図柄）の当選領域とハズレ領域とからなり、通常判定テーブル113Aよりも特定図柄に当選する確率が高くなっている。また、通常判定テーブル113Aは、ＢＢゲーム中に用いられるものと、そうでない通常遊技中に用いられるものと複数設けてもよい。すなわち、ＢＢゲーム中に用いられる通常判定テーブル113Aには、ＢＢ当選領域を設けず、その分ＲＢ当選領域を多く設定するように形成してもよい。あるいは、通常判定テーブル113Aは単一のものを用い、ＢＢ中のＢＢ当選は無効（当選フラグを立てない）とするようにしてもよい。
【００４７】
なお、上記当選判定テーブル113は、スロットマシン10の遊技仕様の設定や、賭け枚数ごとに、抽選確率の異なるものが複数設けられている。
（判定手段114）
判定手段114は、乱数抽出手段112が抽出した抽出乱数データと、当選判定テーブル113の抽選確率データを基に、乱数発生手段111がとる乱数の全領域中の各当選項目の当選領域からなる当選判定領域データとを照合し、当該抽出乱数データが属する当選領域に対応する当選を決定するものである。
（判定テーブル変更手段115）
判定テーブル変更手段115は、遊技機の設定、メダルの賭け枚数、遊技状態に応じて、当選判定の抽選に用いる当選判定テーブル113を選択決定するためのものである。例えば、ＲＢが入賞した場合には、通常判定テーブル113Aから特定判定テーブル113Bに変更する。
【００４８】
（停止制御手段120）
停止制御手段120は、当選抽選手段110の当選判定結果に基づいて、ストップスイッチ50の操作に基づく回転リール40の回転停止を制御するためのものである。すなわち、ストップスイッチ50を押した時点で所定位置に直ちに停止できる回転リール40の図柄を基準図柄として、基準図柄から回転方向に５コマ移動した時の図柄までの範囲で回転リール40を停止させるようになっており、この５コマの範囲内において、どこで停止させるかを当選判定結果に基づいて決定するのである。
具体的には、当選判定の抽選において何らかの当選役が当選したときには、その当選に対応した図柄（当選図柄）が極力有効入賞ライン上に停止するように、それ以外の図柄が停止しないように制御を行い、前記５コマの範囲内で停止図柄を決定することとなる。何らかの当選役が当選したときには、当該当選に対応して当選フラグが成立するので、その成立した当選フラグの有無及び種類に従って、停止させるべき図柄を５コマの範囲内で極力停止するように制御（引き込み制御）し、停止させるべきでない図柄が停止しないように制御（蹴飛ばし制御）するものである。
【００４９】
ここで、停止制御手段120は、特に図示しないが、停止制御データ記憶手段と、停止制御変更手段を少なくとも有している。
停止制御データ記憶手段は、上記したような停止制御を行うための設定データを記憶しているものである。停止制御には、所定の図柄を引き込んで停止させる引き込み制御と、所定の図柄を所定位置に停止させない蹴飛ばし制御がある。
また、上記引き込み制御を行う場合、各図柄について設定した引き込み確率により、ストップスイッチ50の操作により当該図柄を有効入賞ライン上に停止させ易いか、停止させ難いかが変わってくる。引き込み確率は、回転リール40の図柄配列と、ストップスイッチ50を操作したタイミングで停止可能な図柄から何コマ移動方向に移動させて図柄表示手段の図柄変動を停止させるかにより変わってくる。例えば、４コマまで引き込めるように設定された図柄のほうが、１コマしか引き込めない設定になっている図柄に比べると引き込み確率が高くなる。そして、引き込み確率の高い図柄の組み合わせは、いわゆる目押しのタイミングが多少ずれていても入賞有効ラインに引き込んで停止できる割合が高いので入賞させやすく、引き込み確率が低い図柄の組み合わせのほうは、上手く目押しをしないと有効入賞ライン上に停止させられないので入賞させにくいものとなる。
【００５０】
ところで、停止制御のデータとして、停止テーブルを設けてもよい。停止テーブルとは、所定の図柄から何コマ回転させて回転リール40を停止させるかを、所定条件に応じ各図柄毎にテーブル上に規定したものである。具体的には、当選フラグが成立しているときには、その当選フラグに対応する図柄が有効入賞ライン上に揃うように、予めテーブルの上で停止位置が決定されてあり、いわゆる引き込み設定の一種を備えているものである。また、当選フラグが成立していないときには、他の当選図柄が有効入賞ライン上に揃わないように、予めテーブルの上で停止位置が決定されてあり、いわゆる蹴飛ばし設定の一種を備えているものである。
【００５１】
前記停止制御変更手段は、遊技毎に、当選判定の抽選結果に基づいて所定の設定データを決定するためのものである。すなわち、当選抽選手段110の当選判定の結果がハズレの場合には、いかなる当選図柄も有効入賞ライン上から蹴飛ばすように設定されたデータを選択し、当選抽選手段110の当選判定の結果が所定の当選役に当選した場合には、当該当選図柄を有効入賞ライン上に極力引き込み、当該当選図柄以外の図柄が入賞態様にならないよう蹴飛ばすように設定されたデータを選択する。なお、停止テーブルを設けた場合には、停止制御変更手段が停止テーブル変更手段として機能することは言うまでもない。
（入賞判定手段130）
入賞判定手段130は、当選抽選手段110の抽選結果及び回転リール40の停止図柄に基づいて、入賞処理を行わせるためのものである。すなわち、当選判定の抽選結果が所定の当選役に当選しており、当該当選に係る当選図柄が所定の有効入賞ライン上に揃って停止している場合には、入賞信号を出力するするように形成されている。
【００５２】
入賞信号は、種々の手段に送出される。例えば、入賞信号を受信したホッパーユニット65は所定枚数のメダルを払い出し、演出制御装置21は入賞演出を実行する。また、再遊技入賞信号を受信した通常遊技制御手段70は再遊技を、特別入賞信号を受信した特別遊技制御手段80は特別遊技を、それぞれ開始する。
（スロットマシン10の動作）
次に、上記構成を備えたスロットマシンの動作の概略について、図３乃至図８に示したフローを用いて説明する。
先ず、図３に示すステップ１００において、スタートスイッチ30が操作されることにより、スタートスイッチ30がＯＮとなる。そして、次のステップ１０１に進む。
【００５３】
ステップ１０１において、当選抽選手段110により抽選処理が行われる。そして、次のステップ１０２に進む。
ステップ１０２において、回転リール40の回転が開始する。そして、次のステップ１０３に進む。
ステップ１０３において、ストップスイッチ50が操作されることにより、ストップスイッチ50がＯＮとなる。そして、次のステップ１０４に進む。
ステップ１０４において、回転リール40の回転停止処理が行われる。そして、次のステップ１０５に進む。
【００５４】
ステップ１０５において、三個の回転リール40に対応するストップスイッチ50の操作が行われたか否かが判定される。そして、三個の回転リール40に対応するストップスイッチ50の操作が行われたと判定された場合、次のステップ１０６に進む。
ステップ１０６において、当選フラグ成立中に当該当選フラグに対応する当選図柄が入賞有効ライン上に揃ったか否か、すなわち、入賞したか否かが判定される。入賞でない場合には、そのまま遊技が終了する。入賞の場合には、次のステップ１０７に進む。
ステップ１０７において、入賞処理が行われる。すなわち、小役入賞の場合にはメダル払い出し処理が、リプレイ入賞の場合には次遊技の開始処理が、ＢＢ、ＲＢ入賞の場合には、ＢＢ、ＲＢゲームへの移行処理が行われる。そして、遊技が終了する。
【００５５】
前記ステップ１０５において、三個の回転リール40に対応するストップスイッチ50の操作が行われていないと判定された場合、ステップ１０３に戻る。
上述したステップ１０１の抽選処理について、図４のフローを用いて説明する。
ステップ２００において、当選抽選手段110の乱数発生手段111により発生された乱数の中から乱数抽出手段112により乱数が抽出される。そして、次のステップ２０１に進む。
ステップ２０１において、抽出された乱数が乱数抽出手段112の内部に記憶される。そして、次のステップ２０２に進む。
ステップ２０２において、判定手段114により、抽出された乱数と、当選判定テーブル113の当選判定領域データとの比較が行われる。そして、次のステップ２０３に進む。
【００５６】
ステップ２０３において、判定手段114により、抽出された乱数が、当選判定テーブル113のどの当選領域に含まれるか決定され、抽選処理の評価が決定される。そして、次のステップ２０４に進む。
ステップ２０４において、所定の図柄の蹴飛ばしと、所定図柄の引き込みとが設定される。すなわち、停止制御選択手段が所定の設定データを選択する。そして、抽選処理が終了する。
上述したステップ１０４の回転リール40の回転停止処理について、図５を用いて説明する。
【００５７】
ステップ３００において、所定の図柄に対して、蹴飛ばしの設定が達成されたか否かが判定される。そして、所定の図柄の蹴飛ばしの設定が達成されていないと判定された場合、次のステップ３０１に進む。
ステップ３０１において、１個の図柄分だけ、回転リール40を回転させる。すなわち、１個の図柄分だけ蹴飛ばしを行う。そして、次のステップ３０２に進む。
ステップ３０２において、上述した１個の図柄分だけ回転リール40を回転させた当該図柄の数がストップスイッチ50の操作後の４個目に該当するか否かが判定される。そして、ストップスイッチ50を操作した後、１図柄ずつ回転リール40を回転させてずらした図柄の数が４個目の場合には、次のステップ３０３に進む。
【００５８】
ステップ３０３において、回転リール40の回転を停止させる。これにより、メダル投入から回転リール40の回転停止までのスロットマシン10の動作が終了する。
前記ステップ３００において、所定の図柄の蹴飛ばしの設定が達成されていると判定された場合、次のステップ３０４に進む。
ステップ３０４において、いずれかの図柄に対して引き込みが設定されているか否かが判定される。そして、いずれかの図柄に対して引き込みが設定されていると判定された場合、次のステップ３０５に進む。
ステップ３０５において、引き込み設定が達成されたか否かが判定される。そして、引き込み設定が達成されたと判定された場合、次のステップ３０３に進む。
【００５９】
前記ステップ３０４において、いずれの図柄に対しても引き込みが設定されていないと判定された場合、ステップ３０３に進む。
前記ステップ３０５において、引き込み設定が達成されていないと判定された場合、ステップ３０１に進む。
前記ステップ３０２において、ストップスイッチ50を操作した後、１図柄ずつ回転リール40を回転させてずらした図柄の数が４個目でない場合には、ステップ３００に戻る。
なお、上述した実施の形態において、回転リール40の停止処理に関してステップ３０１〜ステップ３０５で説明しているが、この例は、いわゆる最小引き込み停止制御の例であり、逆に最大引き込み停止制御としてもよい。
【００６０】
次に、上述したステップ１０６においてＢＢ入賞した場合のＢＢゲームの流れについて、図６乃至図８のフローに基づき説明する。
まず、入賞判定手段130がＢＢ入賞を判定すると、例えば１５枚のメダルが払い出され、特定導入遊技制御手段90が作動を開始し、ＢＢゲームが開始される。そして、図６のステップ４００において、特定導入遊技制御手段90の払出枚数カウンタ93が、払い出し枚数Ｐの値を「０」に設定する。そして、次のステップ４０１に進む。
ステップ４０１において、遊技回数カウンタ91が、通常遊技回数の値をＮに設定する。このｎ値は、「１」以上の値であって、予め定められていてもよいし、抽選その他諸条件に応じて決定された値であってもよい。そして、次のステップ４０２に進む。
【００６１】
ステップ４０２において、通常判定テーブル113Aを用いた通常遊技が行われる。詳細は図３のステップ１００〜１０２と同様である。そして、次のステップ４０３に進む。
ステップ４０３において、ストップスイッチ50の操作にもとづく全ての回転リール40の停止処理が行われる。詳細は、図３のステップ１０３〜１０５と同様である。そして、次のステップ４０４に進む。
ステップ４０４において、ＲＢ入賞かどうかを判断する。ＲＢ入賞の場合には、ＢＢ中のＲＢゲームが開始される。ＲＢ入賞でない場合には、次のステップ４０５に進む。
ステップ４０５において、小役入賞かどうかを判断する。小役入賞の場合には、次のステップ４０６に進む。
【００６２】
ステップ４０６において、メダル払い出し処理を行うと共に、払い出し枚数Ｐに小役入賞による払い出し枚数の値を加算する。そして次のステップ４０７に進む。
前記ステップ４０５において、小役入賞でない場合（ハズレの場合）には、ステップ４０６を飛び越してステップ４０７に進む。
ステップ４０７において、通常遊技回数Ｎを「１」減算する。そして、次のステップ４０８に進む。
ステップ４０８において、前記Ｎが「０」かどうかを判断する。Ｎ＝０の場合には、ＢＢ中のＲＢゲームが開始される。Ｎ＝０でない場合には、ステップ４０２に戻る。
【００６３】
このようにして、ＢＢゲーム移行後、遊技者が自力でＲＢ入賞させられなくても、ｎゲームの通常遊技終了後には、自動的にＲＢゲームが開始される。
次に、ＢＢ中のＲＢゲームの流れについて、図７のフローに基づき説明する。
ＲＢが入賞すると、特定遊技制御手段100が作動を開始する。そして、ステップ５００において、遊技回数カウンタ91が、中間遊技回数Ｍの値を「８」に、ＪＡＣゲーム回数Ｌの値を「１２」に、それぞれ設定する。そして、次のステップ５０１に進む。
ステップ５０１において、入賞回数カウンタ92がＪＡＣ入賞回数Ｈの値を「８」に設定する。そして、次のステップ５０２に進む。
【００６４】
ステップ５０２において、特定判定テーブル113Bを用いたＪＡＣゲームが行われる。詳細は図３のステップ１００〜１０２と同様である。そして、次のステップ５０３に進む。
ステップ５０３において、ストップスイッチ50の操作にもとづく全ての回転リール40の停止処理が行われる。詳細は、図３のステップ１０３〜１０５と同様である。そして、次のステップ５０４に進む。
ステップ５０４において、特定遊技カウンタＬを「１」減算する。そして、次のステップ５０５に進む。
ステップ５０５において、第一図柄でＪＡＣ入賞したかどうかを判断する。第一図柄でＪＡＣ入賞していない場合には、次のステップ５０６に進む。
【００６５】
ステップ５０６において、第二図柄でＪＡＣ入賞したかどうかを判断する。第二図柄でＪＡＣ入賞している場合には、次のステップ５０７に進む。
ステップ５０７において、中間遊技回数Ｍを「１」減算する。そして、次のステップ５０８に進む。
前記ステップ５０５において、第一図柄でＪＡＣ入賞している場合には、ステップ５０６〜５０７を飛び越して、ステップ５０７に進む。
ステップ５０８において、ＪＡＣ入賞回数Ｈを「１」減算する。そして、次のステップ５０９に進む。
【００６６】
ステップ５０９において、払い出し枚数ＰにＪＡＣ入賞による払い出し枚数の値を加算する。そして次のステップ５１０に進む。
ステップ５１０において、払い出し枚数Ｐが設定最大値（例えば４６５）に達したかどうかを判断する。Ｐが設定最大値に達している場合には、ＢＢゲームが終了する。Ｐが設定最大値に達していない場合には、次のステップ５１１に進む。
ステップ５１１において、ＪＡＣ入賞回数Ｈが「０」かどうか、すなわちＪＡＣ入賞回数が８回になったかどうかを判断する。Ｈ＝０の場合には、ＢＢ中のＲＢゲームを終了する。Ｈ＝０でない場合には、次のステップ５１２に進む。
【００６７】
前記ステップ５０６において、第二図柄でＪＡＣ入賞していない場合、すなわちハズレの場合には、ステップ５０７〜５１１を飛び越してステップ５１１に進む。
ステップ５１２において、ＪＡＣゲーム回数Ｌが「０」かどうか、すなわちＪＡＣゲームが１２回行われたかどうかを判断する。Ｌ＝０の場合には、ＢＢ中のＲＢゲームを終了する。Ｌ＝０でない場合には、ステップ５０２に戻る。
このようにして、ＢＢ中のＲＢゲームは、８回のＪＡＣ入賞又は１２回のＪＡＣゲーム終了により終了し、この間、第二図柄でＪＡＣ入賞するたびに、中間遊技回数が減じられる。
【００６８】
続いて、ＢＢ中のＲＢゲーム終了後、次のＲＢゲーム開始までの間の遊技、すなわち中間遊技の流れについて、図８のフローに基づき説明する。
ＢＢ中のＲＢゲームが終了すると、まず、図８におけるステップ６００において、遊技回数カウンタ91が、ＲＢ終了時点で記憶されている中間遊技回数の値「Ｍ」を取得する。このＭ値は、前回のＲＢゲーム中に第二図柄によるＪＡＣ入賞回数に基づき算出された値である。そして、次のステップ６０１に進む。
ステップ６０１において、Ｍ値が「０」かどうかを判断する。Ｍ＝０の場合には、ＢＢ中のＲＢゲームに移行する。すなわち、中間遊技回数か０回の場合には、ＲＢゲーム終了後、すぐに次のＲＢゲームが開始されることとなる。そして、次のステップ６０２に進む。
【００６９】
ステップ６０２において、通常判定テーブル113Aを用いた通常遊技が行われる。詳細は図３のステップ１００〜１０２と同様である。そして、次のステップ６０３に進む。
ステップ６０３において、ストップスイッチ50の操作にもとづく全ての回転リール40の停止処理が行われる。詳細は、図３のステップ１０３〜１０５と同様である。そして、次のステップ６０４に進む。
ステップ６０４において、小役入賞かどうかを判断する。小役入賞の場合には、次のステップ６０５に進む。
ステップ６０５において、メダル払い出し処理を行うと共に、払い出し枚数Ｐに小役入賞による払い出し枚数の値を加算する。そして次のステップ６０６に進む。
【００７０】
ステップ６０６において、払い出し枚数Ｐが設定最大値に達したかどうかを判断する。Ｐが設定最大値に達している場合には、ＢＢゲームが終了する。Ｐが設定最大値に達していない場合には、次のステップ６０７に進む。
前記ステップ６０４において、小役入賞でない場合（ハズレの場合）には、ステップ６０５，６０６を飛び越してステップ６０７に進む。
ステップ６０７において、中間遊技回数Ｍを「１」減算する。そして、ステップ６０１に戻る。
この後、途中で払い出し枚数Ｐが最大値に達してＢＢゲームが終了しない限り、図７及び図８のフローに示した流れが繰り返される。
【００７１】
このように、本実施の形態によれば、ＢＢゲームは、その遊技期間に関わりなく、一定枚数のメダル払い出しによってのみ終了し、その間、通常遊技とＲＢゲームが（原則として）交互に繰り返される。しかし、ＲＢ中、最大可能入賞回数である８回、第二図柄でＪＡＣ入賞すると、ＲＢゲーム終了後、すぐに次のＲＢゲームが開始されるので、短期間に大量のメダル獲得が可能となる。
従って、技量の高い遊技者は、ＪＡＣゲームで第二図柄を狙って目押しをし、効率の良い遊技を実現することが可能である。そして、ＢＢゲームを迅速に消化すれば、その後の通常遊技でＢＢを引き当てる可能性も増し、遊技者にとってはメダル獲得数の増加につながり、ホールにとっては客の回転率が良くなり、双方にとって好都合である。また、それほど技量の高くない遊技者であっても、引き込みやすい第一図柄を狙えば、中間遊技の期間は長くなるものの、ＲＢゲームで確実にメダルを稼ぐことができる。さらに、ＲＢ中の遊技成績に応じて中間遊技の長さが変わってくることにより、遊技に緊張感が生まれ、興趣が高まるものである。
【００７２】
なお、上記例において、遊技回数カウンタ91の通常遊技回数Ｎ、中間遊技回数Ｍ、ＪＡＣ入賞回数Ｈ、ＪＡＣゲーム数Ｌの初期設定値をそれぞれ「０」にし、遊技又は入賞毎にカウントをインクリメントしていくようにしてもよい。また、第二図柄による入賞回数に応じた中間遊技回数の決定方法は、上記のものに限られず、第二図柄による入賞回数が多いほど中間遊技回数が少なくなるように形成されていれば、どのような演算方法を用いたものでも構わない。
ところで、本実施の形態においては、ＪＡＣ入賞となるための特定図柄として、第一図柄の引き込み確率を相対的に高く、第二図柄の引き込み確率を相対的に低く設定し、第二図柄による入賞回数に応じて中間遊技回数を減らすようにしたが、これとは逆に、第一図柄の引き込み確率を相対的に低く、第二図柄の引き込み確率を相対的に高く設定し、第二図柄による入賞回数に応じて中間遊技回数を増やすように形成してもよいものである。この場合、中間遊技回数の最低ラインを例えば「０回」と定めておき、引き込みやすい第二図による入賞１回につき、２回の中間遊技がプラスされるような設定も可能である。このようにすると、第一図柄により入賞できたか第二図柄により入賞できたかの違いが顕著に現れ、遊技者の技量によるメダル獲得数の差がより大きくなる。
【００７３】
本実施の形態は、以上のように構成されているものであるが、このスロットマシン10は、遊技機を、複数の図柄を停止表示又は変動表示可能に形成された図柄表示手段、前記図柄表示手段の図柄の変動表示を開始させるための図柄変動開始手段、前記図柄表示手段の図柄の変動表示を停止させるための図柄変動停止手段、複数の図柄の組み合わせから成る当選役に関し、当選判定テーブル113を用いて当選か否かの当選判定の抽選を行うための当選抽選手段110、前記図柄変動停止手段の操作及び前記当選判定の抽選結果に基づいて、前記図柄表示手段の図柄を停止表示させるための停止制御手段120、当選に係る図柄の組み合わせが、予め定められた入賞の態様で停止表示された場合には入賞と判定し、遊技者に遊技媒体の払い出しその他の利益を付与する入賞判定手段130、通常遊技用の当選判定テーブル113Aを用いて当選判定の抽選を行わせる通常遊技制御手段70、特定図柄の組み合わせからなる特定当選役の当選確率が通常遊技用の当選判定テーブル113Aよりも高く設定された特定遊技用の当選判定テーブル113Bを用いて当選判定の抽選を行わせ、所定回数の遊技終了又は所定回数の特定当選役の入賞を条件にその遊技期間を終了させる特定遊技制御手段100、通常遊技と特定遊技とを交互に行わせ、特定遊技終了以降、当該終了した特定遊技における特定当選役の入賞回数に応じて、次の特定遊技開始までの通常遊技回数を決定し、一定数の遊技媒体払い出しを条件にその遊技期間を終了させる特定導入遊技制御手段90、として機能させるための遊技用プログラムによって制御することができる。
【００７４】
さらに、前記遊技用プログラムを記憶したコンピュータ読み取り可能な記憶媒体を用いて制御することができる。
ここで、前記図柄表示手段は、回転リール40を用いたものでもよいし、液晶ディスプレイやＣＲＴ等の画像表示装置に複数の図柄を順次表示させるようにしたものでもよい。
また、遊技媒体投入手段、入賞判定手段としては、前記遊技機用プログラムを用いてスロットマシンを制御する場合には、メダル投入口14に投入したメダルを投入スイッチ15で検知するように形成することができ、ホッパーユニット65を介して遊技者にメダルを払い出すように形成することができる。一方、前記遊技機用プログラムを用いて、業務用若しくは家庭用のテレビゲーム機を制御しようとする場合には、現実の遊技メダルの投入や払い出しは行えないので、例えば液晶ディスプレイやＣＲＴ等の画像表示装置に、投入メダル、獲得メダル数の枚数表示をしたり、メダルの増減がわかるような絵（動画でも静止画でもよい）を表示するように形成することができる。
【００７５】
そして、本発明は、スロットマシン以外の遊技機にも応用できる。例えば、遊技媒体として遊技球を用いてスロットマシンと同様の遊技を行わせるパロット遊技機に使用してもよいものである。
【図面の簡単な説明】
【００７６】
【図１】本発明の実施の形態であって、スロットマシンの入力、制御及び出力を示すブロック図である。
【図２】本発明の実施の形態であって、スロットマシンを示す外観正面図である。
【図３】本発明の実施の形態であって、スロットマシンの動作の概略を示すフローである。
【図４】本発明の実施の形態であって、スロットマシンの動作のうち、抽選処理の概略を示すフローである。
【図５】本発明の実施の形態であって、スロットマシンの動作のうち、回転リールの回転停止処理の概略を示すフローである。
【図６】本発明の実施の形態であって、スロットマシンの動作のうち、ＢＢゲーム中の通常遊技制御の流れを示すフローである。
【図７】本発明の実施の形態であって、スロットマシンの動作のうち、ＢＢゲーム中のＲＢゲーム制御の流れを示すフローである。
【図８】本発明の実施の形態であって、スロットマシンの動作のうち、ＢＢゲーム中の中間遊技制御の流れを示すフローである。
【符号の説明】
【００７７】
10  スロットマシン                  11  筺体
12  表示窓                          13  図柄表示窓
15  投入スイッチ                    16  ベットスイッチ
17  精算スイッチ                    20  制御装置
21  遊技制御装置                    22  演出制御装置
30  スタートスイッチ                40  回転リール
42  リールテープ                    50  ストップスイッチ
60  リールユニット                  65  ホッパーユニット
66  演出表示部                      67  画像表示部
68  ランプ                          69  スピーカ
70  通常遊技制御手段                80  特別遊技制御手段
90  特定導入遊技制御手段            91  遊技回数カウンタ
92  入賞回数カウンタ                93  払出枚数カウンタ
100  特定遊技制御手段
110  当選抽選手段                   111  乱数発生手段
112  乱数抽出手段                   113  当選判定テーブル
114  判定手段                       115  判定テーブル変更手段
120  リール停止制御手段             130  入賞判定手段
【図１】
2006122159.tif 000003
【図２】
2006122159.tif 000004
【図３】
2006122159.tif 000005
【図４】
2006122159.tif 000006
【図５】
2006122159.tif 000007
【図６】
2006122159.tif 000008
【図７】
2006122159.tif 000009
【図８】
2006122159.tif 000010